(57)【特許請求の範囲】
【請求項１】
複数の遮光面と複数の透孔が三次元的に配置され、所定の最大遮光角度から観察した場合に上記の各透孔が背後に配置された各遮光面によってほぼ塞がれた状態に見える構造を備えた日除け用部材、またはこのような日除け用部材を一定の方向に揃えて複数連結した日除け用ブロックを、一定方向に揃えて線条体により連結して線状ブロックとなし、
この線状ブロックを並列に複数配置し、それぞれの日除け用部材間または日除け用ブロック間を接合して縦並列ブロックとなし、
上記線状ブロックを裏返して並列に複数配置し、それぞれの日除け用部材間または日除け用ブロック間を接合して横並列ブロックとなし、
上記縦並列ブロックにおける日除け用部材間の隙間または日除け用ブロック間の隙間の少なくとも一部に、上記横並列ブロックの日除け用部材または日除け用ブロックが位置するように、両並列ブロックを重ね合わせてユニットとなし、
このユニットを地面に立設された支持構造体上に配置させてなる日除け。
【請求項２】
上記日除け用部材または日除け用ブロックが、上方から観察した際に正方形状を呈するものであることを特徴とする請求項１に記載の日除け。
【請求項３】
上記日除け用部材または日除け用ブロックが、上方から観察した際に菱形形状を呈するものであることを特徴とする請求項１に記載の日除け。
【請求項４】
上記上方から観察した際に菱形形状を呈する日除け用部材または日除け用ブロックを、それぞれの長い方の対角線が直線状に並ぶように上記線条体上に配置固定して第１の線状ブロックとなし、
この第１の線状ブロックを複数並列に配置して相互間を接続することによって上記横並列ブロックを形成し、
上記上方から観察した際に菱形形状を呈する日除け用部材または日除け用ブロックを裏返し、それぞれの短い方の対角線が直線状に並ぶように上記線条体上に配置固定して第２の線状ブロックとなし、
この第２の線状ブロックを複数並列に配置して相互間を接続することによって上記縦並列ブロックを形成したことを特徴とする請求項３に記載の日除け。
【発明の詳細な説明】
【技術分野】
【０００１】
この発明は日除けに係り、特に、複数の遮光面と透孔が三次元的に配置された構造の日除け用部材を複数組み合わせた日除けに関する。
【背景技術】
【０００２】
都市部において深刻化しつつあるヒートアイランド現象を解消し、また消費電力の低減にも資するものとして、所謂フラクタル構造を備えた日除け用部材を多数組み合わせることによって形成される日除けが、既に提案されている。
【特許文献１】特開２００８−１９６２５４
【特許文献２】特開２０１１−０２１４６０
【特許文献３】特開２０１１−０３２８０８
【０００３】
ここで「フラクタル構造」とは、複数のクラスターを有する構造であって、クラスターが階層構造をなし、各階層に属するクラスターの形状が互いに相似するものをいう。このような自己相似立体図形の一つとして、シェルピンスキー四面体が知られている。
このようなフラクタル構造を体現した日除け用部材は、それ自体が極めて複雑な形状を備えているため、特許文献２の記述に基づき、以下に詳説する。
【０００４】
まず、各日除け用部材は射出成形により形成されるものであり、図１３に示すように、日除け用部材１は、４つの基本要素２，３，４，５からなるフラクタル構造とされ、各基本要素２，３，４，５自体も、同じ形の三角形が対称状に一体化された二面体11，12，13，14を単位とするフラクタル構造をなしている。
【０００５】
各基本要素２，３，４，５は、平面から見て四角形となる４つの二面体11，12，13，14が左右、前後及び上下に隣り合うように配置されたもので、基準位置にある第１の二面体11と、第１の二面体11の右方に配置された第２の二面体12と、第１の二面体11の後方に配置された第３の二面体13と、第１から第３までの二面体11，12，13の上方に配置された第４の二面体14とからなる。
【０００６】
日除け用部材１は、４つの基本要素２，３，４，５が左右、前後及び上下に隣り合うように配置されたもので、基準位置にある第１の基本要素２と、第１の基本要素２の右方に配置された第２の基本要素３と、第１の基本要素２の後方に配置された第３の基本要素４と、第１から第３までの基本要素２，３，４の上方に配置された第４の基本要素５とからなる。
【０００７】
各基本要素２，３，４，５は、平面から見て四角形であり、また、日除け用部材１も、平面から見て四角形となっている。第１及び第４の基本要素２，５に含まれる第１及び第４の二面体11，14の各稜線は連続しており、これが全体として二面体形状をなす日除け用部材１の稜線Ｒとなっている。稜線Ｒは、水平面に対して所要角度（３０〜４０°程度）傾斜させられている。
【０００８】
図１４に拡大して示すように、基本要素２（他の基本要素３，４，５でも同じ）を構成する４つの二面体11，12，13，14は同一形状とされており、各二面体11，12，13，14は、前面を形成する小三角形板部11a，12a，13a，14aと、側面を形成する小三角形板部11b，12b，13b，14bとからなる。
【０００９】
第１の二面体11は、水平面上に位置して正方形の二辺を形成する左右方向及び前後方向の下辺21，22と、下辺21，22同士の交差部から斜め上方にのびて稜線Ｒを形成する共通辺23と、共通辺23の上端部と各下辺21，22の端部とをつなぐ手前側及び奥側の上辺24，25とからなる。
【００１０】
第２の二面体12は、第１の二面体11の左右方向の下辺21が左右方向に延長された左右方向の下辺21と、第１の二面体11の前後方向の下辺22に平行な前後方向の下辺22と、第１の二面体11の共通辺23に平行な共通辺23と、第１の二面体11の手前側及び奥側の上辺24，25にそれぞれ平行な手前側及び奥側の上辺24，25とからなる。
【００１１】
第３の二面体13は、第１の二面体11の前後方向の下辺22が前後方向に延長された前後方向の下辺22と、第１の二面体11の左右方向の下辺21に平行な左右方向の下辺21と、第１の二面体11の共通辺23に平行な共通辺23と、第１の二面体11の手前側及び奥側の上辺24，25にそれぞれ平行な手前側及び奥側の上辺24，25とからなる。
【００１２】
第４の二面体14は、第１の二面体11の共通辺23が斜め上方に延長された共通辺23と、第２の二面体12の手前側の上辺24が斜め上方に延長された手前側の上辺24と、第３の二面体13の奥側の上辺25が斜め上方に延長された奥側の上辺25と、第１の二面体11の左右方向の下辺21に平行な左右方向の下辺21と、第１の二面体11の前後方向の下辺22に平行な前後方向の下辺22とからなる。
【００１３】
図２９において、第１、第２及び第４の各二面体11，12，14の前面を形成する小三角形板部11a，12a，14aは、同一平面（前面）上にあり、この前面に対して、第２の二面体12の側面を形成する小三角形板部12bが底面側に屈曲させられていることで、基本要素２の前面には、三角形状の小三角形透孔15が形成されている。
また、第１、第３及び第４の各二面体11，13，14の側面を形成する小三角形板部11b，13b，14bは、同一平面（側面）上にあり、この側面に対して、第３の二面体13の前面を形成する小三角形板部13aが底面側に屈曲させられていることで、基本要素２の側面には、三角形状の小三角形透孔15が形成されている。
こうして、基本要素２は、中央部に小三角形透孔15を有する２つの中三角形板部2a，2bが稜線Ｒを介して接合された二面体本体部分と、中三角形板部2a，2bに対して底面側に折り曲げられた小三角形板部（突出部分）12b，13aとからなる二面体形状となっている。
【００１４】
各小三角形透孔15の大きさは、これを囲む３つの三角形板部11a，12a，14a，11b，13b，14bの大きさよりも一回り小さくなされており、これにより、隣り合う三角形板部11a，12a，14a，11b，13b，14bの間に所定の肉厚が確保され、三角形板部11a，12a，14a，11b，13b，14b同士は、その突き合わせ部において互いに接合されている。
左右、前後及び上下に隣り合う基本要素２，３，４，５同士についても、各突き合わせ部に所定の肉厚を確保することで互いに接合されている。
【００１５】
４つの基本要素２，３，４，５からなる日除け用部材１において、第１、第２及び第４の各基本要素２，３，５の前面を形成する中三角形板部２a，３a，５aは、同一平面（前面）上にあり、この前面に対して、第２の基本要素３の側面を形成する中三角形板部３bが底面側に屈曲させられていることで、前面の大三角形部１aには、三角形状の中三角形透孔６が形成されている。
また、第１、第３及び第４の各基本要素２，４，５の側面を形成する中三角形板部２b，４b，５bは、同一平面（側面）上にあり、この側面に対して、第３の基本要素４の前面を形成する中三角形板部４aが底面側に屈曲させられていることで、側面の大三角形部１bには、三角形状の中三角形透孔６が形成されている。
この結果、日除け用部材成形品１は、中央部に中三角形透孔６を有する２つの大三角形板部１a，１bが稜線Ｒを介して接合された二面体本体部分と、大三角形板部１a，１bに対して底面側に折り曲げられた中三角形板部（突出部分）３b，４aとからなる二面体形状となっている。
【００１６】
したがって、日除け用部材１を基本要素とみなして、これを４つ使用して上記の基本要素２，３，４，５と同じように左右、前後及び上下に配置することで、図１５に示す日除け用部材１の組立品（ブロック）が得られ、使用する日除け用部材１の数を適宜増やしていくことで必要な大きさの日除けを得ることができる。
【００１７】
図１６に示す平面図において、基準位置にある第１の基本要素２の角部のうち日除け用部材１の角部になっている部分（図１６の下側にある角部）の角度は、９０度とされており、稜線Ｒは、これを二等分するようになっている。
第２の基本要素３及び第３の基本要素４の角部のうち、日除け用部材１の角部になっている部分（図１６の左右にある角部）の角度は、互いに等しくて９０度よりも若干小さくなされており、したがって、第４の基本要素５の角部のうち日除け用部材１の角部になっている部分（図１６の上側にある角部）の角度は、９０度よりも大きくなっている。
【００１８】
また、図１７に示す稜線Ｒを中央に据えたときの正面図において、日除け用部材１は、第１、第２及び第３の基本要素２，３，４の下面を底辺（斜辺）として第４の基本要素４の角部によって形成される頂角が９０度の直角二等辺三角形となっており、この方向から見た場合には、各基本要素２，３，４，５の中三角形板部２a，２b，３a，３b，４a，４b，５a，５b、中三角形透孔６及び各二面体11，12，13，14も、直角二等辺三角形となっている。
したがって、日除け用部材１を組み立てていく際に、これらの直角二等辺三角形を基準とすることで、隣り合う日除け用部材１同士の位置合わせを容易に行うことができる。
各基本要素２，３，４，５の中三角形板部２a，２b，３a，３b，４a，４b，５a，５b、中三角形透孔６及び各二面体11，12，13，14の輪郭形状は、図１７に示す稜線Ｒを中央に据えたときの正面図における形状が直角二等辺三角形となるように決定され、したがって、その輪郭形状は不等辺鈍角三角形となっている。
【００１９】
図１８に示す底面図において、従来の板材から形成したフラクタル構造体では、矢印Ｐで示す第２の二面体12の底面側に折り曲げられた小三角形板部12bと第３の二面体13の底面側に折り曲げられた小三角形板部13aとの突き合わせ部が自由端となるため、強度が低く、また、形状を維持することも困難であったが、この日除け用部材１では、第２の二面体12の底面側に折り曲げられた小三角形板部12bと第３の二面体13の底面側に折り曲げられた小三角形板部13aとの突き合わせ部にも所定の肉厚が確保されて、各基本要素２，３，４，５の第２の二面体12と第３の二面体13とが接合され、これにより、日除け用部材１の各基本要素２，３，４，５の強度が大幅に向上している。
【００２０】
また、各基本要素２，３，４，５によって日除け用部材１を形成するに際し、矢印Ｑで示す第２の基本要素３の底面側に折り曲げられた中三角形板部３bと第３の基本要素４の底面側に折り曲げられた中三角形板部４aとの突き合わせ部にも所定の肉厚が確保されて、第２の基本構成要素３と第３の基本構成要素４とが接合され、これにより、日除け用部材１の強度がさらに向上している。
【００２１】
日除け用部材１は、上記のように大きさが異なる三角形透孔６，15が形成されており、これにより、日除け用部材１は、図１３及び図１５〜図１８のいずれの図においても、複数カ所に隙間がある（三角形透孔６，15の向こう側に三角形板部３b，４a，12b，13aで塞がれていない部分がある）形状となっている。
そして、稜線Ｒを正面にして日除け用部材１を斜め上方から見た場合に（太陽方向から見た場合に相当）、図１９に示すように、小三角形透孔15が折り曲げられた小三角形板部12b，13aによって、また、中三角形透孔６が折り曲げられた中三角形板部３b，４aによってそれぞれ塞がれるようになって、日除け用部材１内にある隙間が実質的にゼロとなっており、これにより、遮光性が高められている。
各三角形透孔６，15は、風通しをよくする効果があり、これにより、遮光性と風通しの良さとの両方が実現されている。
【００２２】
日除け用部材１は、また、稜線方向の上方から見た場合、図２０に示すように、矢印Ｐで示す第２の二面体12の底面側に折り曲げられた小三角形板部12bと第３の二面体13の底面側に折り曲げられた小三角形板部13aとの突き合わせ部が接合されていることにより、第１の基本要素２及びこの向こう側にある第４の基本要素５の第１の二面体11の各小三角形板部11a，11b及びこの向こう側にある第４の二面体14の各小三角形板部14a，14bと第１の基本要素２及びこの向こう側にある第４の基本要素５の第２及び第３の二面体12，13の底面側に折り曲げられた各小三角形板部12b，13aとによって、横断面が菱形で稜線方向にのびる中空形状の筒状部（第１の筒状部７）が形成されている。
同様に、第２及び第３の基本要素34では、第１の二面体の各小三角形板部11a，11b及びこの向こう側にある第４の二面体14の各小三角形板部14a，14bと第２及び第３の二面体12，13の底面側に折り曲げられた各小三角形板部12b，13aとによって、横断面が菱形で長さが第１の筒状部７の半分である稜線方向にのびる中空形状の２つの筒状部（第２の筒状部８）が形成されている。
【００２３】
また、矢印Ｑで示す第２の基本要素３の底面側に折り曲げられた中三角形板部３bと第３の基本要素４の底面側に折り曲げられた中三角形板部４aとの突き合わせ部が接合されていることにより、第１の基本要素２及びこの向こう側にある第４の基本要素５の第２及び第３の二面体12，13の各小三角形板部12a，12b，13a，13bと第２及び第３の基本要素３の底面側に折り曲げられた中三角形板部３b，４aとによって、横断面がＶ字状で稜線方向にのびる中空形状の筒状部（第３の筒状部９）が形成されている。
これらの筒状部７，８，９の周壁は、隙間三角形透孔６，15に対応する箇所で切り取られたものとなっている。
【００２４】
日除け用部材１には、平面から見て四角形の角部を形成している４つの角部、すなわち第１の基本要素2の稜線方向の下端部、第２の基本要素3の右下端部、第３の基本要素4の後下端部及び第４の基本要素5の稜線方向の上端部に、それぞれ貫通孔31，32，33，34が設けられている。
これにより、隣り合う日除け用部材１同士は、図１５に示すように、一方の日除け用部材１の貫通孔31，32，33，34に嵌め入れられる突起35a，36a，37aと他方の日除け用部材１の貫通孔31，32，33，34に嵌め入れられる突起35b，36b，37bとを有するジョイント35，36，37によって接続可能とされている。
【００２５】
この日除け用部材１を用いて日除けを形成するに際しては、４つの日除け用部材１を連結させたブロックを多数用意した上で、予め各ブロックをフレーム部材に組み付けられる。
図２１はその一例を示すものであり、一対の縦桟40と一対の横桟41とからなる矩形状の枠内に、複数本のリーフ桟42を所定間隔をおいて平行に配置させたフレーム部材43を用意し、縦桟40、横桟41及びリーフ桟42上にブロック44を配置していき、各ブロック44に形成された貫通孔32, 33とフレーム部材43側に設けられたネジ穴とをビス45を介して係合することにより、ブロック44の固定がなされる。
この際、相互に隣接配置されたブロック44の貫通孔32, 33には、共通のビス45が挿通される。また、前後に配置されたブロック44の貫通孔31, 34にも共通のビス45が挿通され、図示しないナットを介して固定される。
【発明の開示】
【発明が解決しようとする課題】
【００２６】
上記ブロック44に含まれる各日除け用部材１の稜線Ｒを南側に向けることにより、太陽光線が日除け用部材１によって遮断されるため、日除け効果を発揮することが可能となる。
また、各日除け用部材１には三角形状の透孔部が多数形成されており、遮光面が３次元空間に分散配置された形となっているため、遮光面間に設けられた隙間を介して熱を素早く空気中に逃がすことが可能となる。
【００２７】
しかしながら、従来の施工方法は、上記の通りブロック44を現場においてフレーム部材43の端から一々組み付けていく方式であり、しかもフレーム部材43は図示しない脚フレーム上に載置されており、地上から離れた高所での作業が中心となるため、熟練作業者をもってしても作業効率が上がらないという問題があった。
また、各ブロック44の寸法精度はそれほど高くないため、比較的大規模な日除けを形成する際にはユニット間の寸法のバラツキが拡大していき、フラクタル構造を維持することが困難となる場合が多く、これを修正するために多大の労力を要するという問題があった。
【００２８】
この発明は、従来のこのような問題を解決するために案出されたものであり、設置現場における作業効率の向上を実現できると共に、比較的大規模な日除けを形成する場合であっても、個々のブロックの寸法のバラツキによって施工が困難となることを解消できる技術の提供を目的としている。
【課題を解決するための手段】
【００２９】
上記の目的を達成するため、請求項１に記載した日除けは、複数の遮光面と複数の透孔が三次元的に配置され、所定の最大遮光角度から観察した場合に上記の各透孔が背後に配置された各遮光面によってほぼ塞がれた状態に見える構造を備えた日除け用部材、またはこのような日除け用部材を一定の方向に揃えて複数連結した日除け用ブロックを、一定方向に揃えて線条体により連結して線状ブロックとなし、この線状ブロックを並列に複数配置し、それぞれの日除け用部材間または日除け用ブロック間を接合して縦並列ブロックとなし、上記線状ブロックを裏返して並列に複数配置し、それぞれの日除け用部材間または日除け用ブロック間を接合して横並列ブロックとなし、上記縦並列ブロックにおける日除け用部材間の隙間または日除け用ブロック間の隙間の少なくとも一部に、上記横並列ブロックの日除け用部材または日除け用ブロックが位置するように、両並列ブロックを重ね合わせてユニットとなし、このユニットを地面に立設された支持構造体上に配置させたことを特徴としている。
【００３０】
また、請求項２に記載した日除けは、請求項１の日除けであって、上記日除け用部材または日除け用ブロックが、上方から観察した際に正方形状を呈するものであることを特徴としている。
【００３１】
請求項３に記載した日除けは、請求項１の日除けであって、上記日除け用部材または日除け用ブロックが、上方から観察した際に菱形形状を呈するものであることを特徴としている。
【００３２】
請求項４に記載した日除けは、請求項３の日除けであって、上記上方から観察した際に菱形形状を呈する日除け用部材または日除け用ブロックを、それぞれの長い方の対角線が直線状に並ぶように上記線条体上に配置固定して第１の線状ブロックとなし、この第１の線状ブロックを複数並列に配置して相互間を接続することによって上記横並列ブロックを形成し、上記上方から観察した際に菱形形状を呈する日除け用部材または日除け用ブロックを裏返し、それぞれの短い方の対角線が直線状に並ぶように上記線条体上に配置固定して第２の線状ブロックとなし、この第２の線状ブロックを複数並列に配置して相互間を接続することによって上記縦並列ブロックを形成したことを特徴としている。
【発明の効果】
【００３３】
この発明に係る日除けの場合、線条体に複数の日除け用部材または日除け用ブロックが予め組み付けられた線状ブロックを必要本数組み合わせることによって形成できるため、現場での作業工程を大幅に簡略化することができると共に、現場において各日除け用部材間の位置精度を容易に確保することが可能となる。
【発明を実施するための最良の形態】
【００３４】
図１は、この発明に係る日除け用部材50を示す斜視図であり、その基本構造は図１３〜図２０において説明した従来の日除け用部材１と実質的に等しいため、対応部分には同一の符号を付することにより、重複の説明は省略する。
ただし、この日除け用部材50の場合、四隅に第１の接続片51a、第２の接続片51b、第３の接続片51c、第４の接続片51dが突設されており、各接続片の貫通孔52を用いて他の日除け用部材50や後述のフレーム部材と接続される。
また、小三角形板部11a，12a，13a，14a及び小三角形板部11b，12b，13b，14bが複数の「遮光面」に該当すると共に、小三角形透孔15及び中三角形透孔６が複数の「透孔」に該当する。
【００３５】
図２は、４個の日除け用部材50を用いて日除け用のブロックを形成する様子を示す模式図であり、第１の日除け用部材50a、第２の日除け用部材50b、第３の日除け用部材50c、第４の日除け用部材50dの接続片同士を、図示しないビスとナットを介して係合することにより、ブロック53, 54が形成される。具体的には、以下の接続片間が係合される。
(1)第１の日除け用部材50aの第２の接続片51bと第２の日除け用部材50bの第１の接続片51a間
(2)第１の日除け用部材50aの第３の接続片51cと第３の日除け用部材50cの第１の接続片51a間
(3)第１の日除け用部材50aの第４の接続片51dと第４の日除け用部材50dの第１の接続片51a間
(4)第２の日除け用部材50bの第３の接続片51cと第３の日除け用部材50cの第２の接続片51b間
(5)第２の日除け用部材50bの第４の接続片51dと第４の日除け用部材50dの第２の接続片51b間
(6)第３の日除け用部材50cの第４の接続片51dと第４の日除け用部材50dの第３の接続片51c間
【００３６】
このようにして形成された各ブロック53, 54は、多数の相似形を内包しており、それ自体がフラクタル構造を備えている（図１５参照）。
また、第１の日除け用部材50aの第１の接続片51a、第２の日除け用部材50bの第２の接続片51b、第３の日除け用部材50cの第３の接続片51c、第４の日除け用部材50dの第４の接続片51dが、それぞれブロック53, 54の第１の接続片55a、第２の接続片55b、第３の接続片55c、第４の接続片55dを構成する。
【００３７】
この発明においてはブロックを図１５に示されたのと同様の方向で用いる場合と、これを裏返した状態で用いる場合があるため、前者を正置ブロック53と称し、後者を倒置ブロック54と称することにより、両者を区別することとする。
また、図２以降において図示される正置ブロック53及び倒置ブロック54については、図示の便宜上、三角形状の透孔を全て省略した形で記載している。
【００３８】
このような正置ブロック53及び倒置ブロック54を、予め規格化された所定の大きさのフレームに複数組み付けることにより、日除け用のユニットが形成される。
【００３９】
まず、図３に示すように、金属製あるいはプラスチック製の角材等よりなる線条体87の一面に、複数の正置ブロック53を配置固定させることにより、第１の線状ブロック88を形成する。
この場合、各正置ブロック53は、平面から看取できる菱形形状の、長い方の対角線（第２の接続片55b及び第４の接続片55dを結ぶ線）が直線状に連なるように配置され、各正置ブロック53の第２の接続片55b及び第４の接続片55dの貫通孔を線条体87の表面にビス留めすることで固定される。
【００４０】
この第１の線状ブロック88は、日除けとして必要とされる面積に応じて複数本用意され、図４に示すように、それぞれの端部を接合させることにより、横並列ブロック89が形成される。図においては、線条体87に５つの正置ブロック53を接続した第１の線状ブロック88を６本集め、相互間を接続した構成の横並列ブロック89が例示されている。
第１の線状ブロック88間の接合は、例えば、隣接する各正置ブロック53の第１の接続片55aと第３の接続片55cとの間をビス留めすることにより、実現される。
【００４１】
つぎに、図５に示すように、上記と同様の線条体87の一面に、複数の倒置ブロック54を配置固定させることにより、第２の線状ブロック90を形成する。
この場合、各倒置ブロック54は、平面から看取できる菱形形状の、短い方の対角線（第１の接続片55a及び第３の接続片55cを結ぶ線）が直線状に連なるように配置され、各倒置ブロック54の第１の接続片55a及び第３の接続片55cの貫通孔を線条体87の表面にビス留めすることで固定される。
【００４２】
この第２の線状ブロック90も、日除けとして必要とされる面積に応じて複数本用意され、図６に示すように、裏返した状態でそれぞれの端部を接合させることにより、縦並列ブロック91が形成される。図においては、線条体87に７つの倒置ブロック54を接続した第２の線状ブロック90を４本集め、相互間を接続した構成の縦並列ブロック91が例示されている。
第２の線状ブロック90間の接合は、例えば、隣接する各倒置ブロック54の第２の接続片55bと第４の接続片55dとの間をビス留めすることにより、実現される。
【００４３】
つぎに、図７に示すように、横並列ブロック89と縦並列ブロック91をそれぞれの線条体87が直交する方向に重ね合わせ、各線条体87の両端部を矩形状のフレーム92に接合させることにより、日除けユニット93が完成する。
この際、横並列ブロック89の隙間（正置ブロック53が存在しない領域）が縦並列ブロック91の倒置ブロック54によって埋められるように、また縦並列ブロック91の隙間（倒置ブロック54が存在しない領域）が横並列ブロック89の正置ブロック53によって埋められるように、各並列ブロックが位置決めされる。
【００４４】
なお、横並列ブロック89側の各線条体87と、縦並列ブロック91側の各線条体87との間には高低差が生じるため、フレーム92の上面にはレベル調整用の台部94が複数突設されており、縦並列ブロック91側の各線条体87はこの台部94の上面に固定される。
【００４５】
日除けユニット93は、予め工場において必要個数製造された上で、設置現場にトラック輸送され、日除けとして組み立てられる。
図８は、完成した日除け76を例示するものであり、設置面77に立設された複数の脚フレーム78上に、日除けユニット93が載置固定されている様子が描かれている。
日除けユニット93は、フォークリフトやユニック車によって脚フレーム（支持部材）78上に持ち上げられ、連結具79によって固定される。
【００４６】
このように、日除けユニット93を単独で脚フレーム78上に固定して日除け76とすることもできるが、日除けユニット93を縦横に複数連結させることにより、さらに広い面積の日除けを形成することも当然可能である。
【００４７】
この日除けユニット93の場合、予め工場等において、線条体87に複数の正置ブロック53を組み付けた第１の線状ブロック88と、同じく線条体87に複数の倒置ブロック54を予め組み付けた第２の線状ブロック90を必要本数組み合わせることによって形成できるため、現場での作業工程を大幅に簡略化することができると共に、各日除け用部材間の位置精度を正確に維持することが可能となる。
【００４８】
なお、上記においては４個の日除け用部材50を組み合わせた正置ブロック53を用いて第１の線状ブロック88を構成した例を示したが、線条体87の一面に複数の日除け用部材50を直に取り付けることにより、第１の線状ブロックとなし、この第１の線状ブロックを複数連結することによって横並列ブロックを構成してもよい。
同様に、線条体87の一面に裏返した複数の日除け用部材50を直に取り付けることによって第２の線状ブロックとなし、この第２の線状ブロックを複数連結することで縦並列ブロックを構成してもよい。
【００４９】
上記においては、図９ (a)に示すように、平面から観察した際に菱形形状を呈する日除け用部材50を４個組み合わせることによって形成された正置ブロック53及び倒置ブロック54を用いる例を示したが、この発明はこれに限定されるものではない。
すなわち、図９ (b)に示すように、平面から観察した際に正方形状を呈する正方形日除け用部材95を用意し、これを多数組み合わせることによって日除けを形成することもできる。
【００５０】
例えば、図１０(a)に示すように、線条体87の表面に複数の正方形日除け用部材95を固定し、第３の線状ブロック96を形成する。
そして、同図(b)に示すように、この第３の線状ブロック96を必要本数集めて、それぞれの端部間を接続することにより、横並列ブロック97を形成する。
この横並列ブロック97は、各線条体87に５つの正方形日除け用部材95を接合した第３の線状ブロック96を７本集め、相互間を接続した構成を備えている。
【００５１】
つぎに、図１１に示すように、各線条体87に７つの正方形日除け用部材95を接合した第３の線状ブロック96を５本集め、それぞれの端部間を接続することにより、縦並列ブロック98を形成する。
【００５２】
つぎに、図１２に示すように、横並列ブロック97と、裏返した縦並列ブロック98を、それぞれの線条体87が直交する方向に重ね合わせ、各線条体87の両端部を矩形状のフレーム92に接合させることにより、日除けユニット99が完成する。
この際、横並列ブロック97の隙間（正方形日除け用部材95が存在しない領域）が縦並列ブロック98の正方形日除け用部材95によって埋められると共に、縦並列ブロック98の隙間が横並列ブロック97の正方形日除け用部材95によって埋められるように、各並列ブロックが位置決めされる。
【００５３】
なお、横並列ブロック97側の各線条体87と、縦並列ブロック98側の各線条体87との間には高低差が生じるため、フレーム92の上面にはレベル調整用の台部94が複数突設されており、縦並列ブロック98側の各線条体87はこの台部94の上面に固定される。
【００５４】
上記のように、この日除けユニット99を単独で支持部材上に固定して日除けとすることもできるが、日除けユニット99を縦横に複数連結させることにより、さらに広い面積の日除けを形成することも当然可能である。
【００５５】
この日除けユニット99の場合、予め工場等で線条体87に正方形日除け用部材95を組み付けた第３の線状ブロック96を必要数組み合わせることによって形成できるため、現場での作業工程を大幅に簡略化することができると共に、高い位置精度を実現することが可能となる。
しかも、第３の線状ブロック96を裏返すだけで横並列ブロック97と縦並列ブロック98を使い分けることができるため、在庫管理が簡素化できる利点がある。
【００５６】
なお、上記においては正方形日除け用部材95をそのまま用いて第３の線状ブロック96を形成する例を示したが、４個の正方形日除け用部材95を組み合わせて正方形ブロックを形成し（図２参照）、各正方形ブロックを線条体87上に配置固定することにより、第３の線状ブロック96を形成すると共に、これに基づいて横並列ブロック及び縦並列ブロックを形成することも当然に可能である。
【実施例】
【００５７】
正方形日除け用部材を４つ組み合わせた正方形ブロックを用いて日除けを形成した。
正方形ブロックの一辺は３１８ｍｍ（対角線は４５０ｍｍ）である。
材料はプラスチック（ＡＥＳ樹脂）で、射出成形で製作した。肉厚は、平均２ｍｍである。
線条体は、アルミニウム製角パイプで断面は１０ｍｍ×１０ｍｍ、肉厚１ｍｍを使用した。
線状ブロックを製作するにあたり、線条体と正方形ブロックの接合は、タッピングネジを使用した。
正方形ブロック５個を直列にこの線条体に接合し、線状ブロックを製作した。８本製作した。接合にはタッピングネジを使用した。
４本の線状ブロックを並列に並べ、隣接するブロックの端部どうしをボルト及びナットで接合した。これを２組製作した。
１組を裏返し、９０°方向を変え（横並列ブロック）、その上に残る１組（縦並列ブロック）を乗せ、上方から見て上側の縦並列ブロックの空間のあいているところを下側の横並列ブロックのブロック部分が塞ぐ位置に固定する。固定は、ブロックどうしをボルト及びナットで接合した。
これで日よけを完成させた。外寸は、縦横ともに２２５０ｍｍであった。
２人で組み立てた時間は、３５分であった。
【比較例】
【００５８】
同じ正方形ブロックを用いて、同じ大きさの日よけを従来方法で製作した。
すべての正方形ブロックを同じ方向に向け、下側の正方形ブロック５個を並べ、左右端部をボルト及びナットで接合した。
これを２列並べ、その上に上側の正方形ブロックを、その左右端部が下側の正方形ブロックの上下（前後）の端部と重なるように配置し、ボルト及びナットで接合した。
このとき、上側の正方形ブロックの端部どうしが重なるので、すべてを同時に接合しなければならない。
つぎに、下側を１列追加し、上側も１列追加して同様の接合を行う。上側は２列目となるので、１列目のブロックと上下（前後）方向の重なる端部どうしもボルト及びナットで接合した。
これを繰り返して、日よけを完成させた。
２人で組み立てた時間は、５７分であった。
【図面の簡単な説明】
【００５９】
【図１】この発明に係る日除け用部材の一例を示す斜視図である。
【図２】４個の日除け用部材を用いてブロックを形成する様子を示す模式図である。
【図３】第１の線状ブロックを示す斜視図である。
【図４】横並列ブロックを示す模式図である。
【図５】第２の線状ブロックを示す斜視図である。
【図６】縦並列ブロックを示す模式図である。
【図７】日除けユニットを示す模式図である。
【図８】第１の線状ブロック及び第２の線状ブロックを用いて形成された日除けを示す側面図である。
【図９】平面菱形形状の日除け用部材と平面正方形状の日除け用部材との対比を示す図である。
【図１０】第３の線状ブロック及び横並列ブロックを示す模式図である。
【図１１】第３の線状ブロックを用いた縦並列ブロックを示す模式図である。
【図１２】第３の線状ブロックを用いた日除けユニットを示す模式図である。
【図１３】従来の日除け用部材を示す斜視図である。
【図１４】従来の日除け用部材の基本要素の拡大斜視図である。
【図１５】従来の日除け用部材を４個用いて組み立てられるブロックを示す斜視図である。
【図１６】従来の日除け用部材の平面図である。
【図１７】従来の日除け用部材の稜線を中央にした正面図である。
【図１８】従来の日除け用部材の底面図である。
【図１９】従来の日除け用部材を最大遮光方向から見た図である。
【図２０】従来の日除け用部材を稜線方向から見た図である。
【図２１】従来の日除け用部材を用いたブロックをフレーム部材に組み付けて日除けを形成する様子を示す斜視図である。
【符号の説明】
【００６０】
11a〜14d 小三角形板部
11b〜14b 小三角形板部
６ 中三角形透孔
15 小三角形透孔
50 日除け用部材
51a 日除け用部材の第１の接続片
51b 日除け用部材の第２の接続片
51c 日除け用部材の第３の接続片
51d 日除け用部材の第４の接続片
52 貫通孔
53 正置ブロック
54 倒置ブロック
55a ブロックの第１の接続片
55b ブロックの第２接続片
55c ブロックの第３の接続片
55d ブロックの第４の接続片
76 日除け
77 設置面
78 脚フレーム
79 連結具
87 線条体
88 第１の線状ブロック
89 横並列ブロック
90 第２の線状ブロック
91 縦並列ブロック
92 フレーム
93 日除けユニット
94 台部
95 正方形日除け用部材
96 第３の線状ブロック
97 横並列ブロック
98 縦並列ブロック
99 日除けユニット
【図１】
0006412355.tif 000002
【図２】
0006412355.tif 000003
【図３】
0006412355.tif 000004
【図４】
0006412355.tif 000005
【図５】
0006412355.tif 000006
【図６】
0006412355.tif 000007
【図７】
0006412355.tif 000008
【図８】
0006412355.tif 000009
【図９】
0006412355.tif 000010
【図１０】
0006412355.tif 000011
【図１１】
0006412355.tif 000012
【図１２】
0006412355.tif 000013
【図１３】
0006412355.tif 000014
【図１４】
0006412355.tif 000015
【図１５】
0006412355.tif 000016
【図１６】
0006412355.tif 000017
【図１７】
0006412355.tif 000018
【図１８】
0006412355.tif 000019
【図１９】
0006412355.tif 000020
【図２０】
0006412355.tif 000021
【図２１】
0006412355.tif 000022